(57)【要約】【課題】椅子に座る際背中が曲がったり足が開いたりしないよう補助する、座時姿勢補助ベルト並びに座時姿勢補助機能付衣服を提供する。【解決手段】腰ベルト（１）または腰背部材を有する衣服の腰背部に、当該腰背部から左右側面を通し着座した状態で膝下を支えるようにまわして連結できる膝ベルト（２）を装着したことを特徴とする。【選択図】図１
2005013670.tif 000002
【特許請求の範囲】
【請求項１】
腰ベルト（１）の背部に、腰背部から側面を通し着座した状態で膝下を支えるようにまわして連結できる膝ベルト（２）を装着した座時姿勢補助ベルト。
【請求項２】
膝ベルトが着脱可能に腰ベルトに設けられていることを特徴とする座時姿勢補助ベルト。
【請求項３】
スカート、ズボン、シャツ、エプロン，ベスト等の腰背部材を有する衣服と、該腰背部材腰背部から側面を通し着座した状態で膝下を支えるようにまわして連結できる膝ベルト（２）を装着した座時姿勢補助機能付衣服。
【請求項４】
腰背部または腰ベルト（１）体側部にかばん，財布，ポケット等袋物を装着したことを特徴とする請求項１，請求項２の座時姿勢補助ベルト。
【発明の詳細な説明】
【０００１】
【発明の属する技術分野】
この発明は、椅子に座った状態で姿勢を支える、座時姿勢補助ベルト並びに座時姿勢補助機能付衣服に関するものである。
【０００２】
【従来の技術】
従来、椅子の背などに設置する，背骨のＳ字曲線に沿った形のクッション状の姿勢矯正器具などがあった。
【０００３】
【発明が解決しようとする課題】
これには次のような欠点があった。
（イ）椅子の背に設置されているので、浅く座ることによって背中を曲げてしまいがちであった。
（ロ）腿や膝に対しては機能しないため、足を開いたり組んだりしてしまいがちであった。
【０００４】
【課題を解決するための手段】
腰ベルト（１）の両端を連結することができるよう、連結部材として面ファスナーを設ける。
腰背面から左右側面を回して膝下で連結できるような長さの膝ベルト（２）の一端に、連結部材としてバックルを設ける。
腰ベルト（１）と膝ベルト（２）の中程を連結する。
または，スカート，ズボン，エプロンなど腰背部を有する衣類の腰背部に膝ベルトを連結する。
本発明は、以上のような構成よりなる座時姿勢補助ベルトおよび座時姿勢補助機能付衣服である。
【０００５】
【発明の実施の形態】
以下、本発明の第一の実施の形態について図１から図２を用いて説明する
図１は本発明の斜視図、図２は本発明の使用状態図である。
本発明は、腰ベルト（１）と膝ベルト（２）により構成されている。
腰ベルト（１）は、胴体あるいは腰に取り付けるのに必要な長さと腰を支えるのに必要な幅を有するものである。素材としては多少の伸縮性のあるものが好ましいが、伸縮性は必ずしも必要ではない。
腰ベルト（１）の一端表面には面ファスナー（３ｂ）が設けられ、腰ベルト（１）の他端裏面には前記面ファスナーと着脱する面ファスナー（３ａ）が設けられている。これら面ファスナーは、腰サイズの違う人にも利用できるように長さ調整できるように任意の長さとなっている。
この腰ベルト（１）の中間部背面には、膝ベルト（２）が縫着されている。膝ベルトは腰背面から左右側面を回して膝下で着脱可能に連結できるような長さとなっている。
図における事例では、連結手段としてバックル（４）が設けられている。このバックル（４）は、２つのリングから構成されており、膝ベルト（２）の他端側を通して、長さ調整可能に着脱するものである。
本発明は以上の構成よりなる。
これを利用するときは、図２に示すように椅子（８）やベンチなどに腰掛けた状態で、腰ベルト（１）を胴体下腰部に巻きつけて固定する。次ぎに、膝ベルト（２）の各端を左右側面からそれぞれまわし、図に示すように膝をほぼ直角に曲げ、腰を伸ばした状態で膝下を通してバックル（４）で固定する。
なお、本事例においては、腰ベルト（１）、膝ベルト（２）の連結手段として、面ファスナー（３）、バックル（４）を用いて説明したが、本発明における連結手段はこれに限定されるものではなく、着脱可能に連結できるものであれば従来利用されるその他部材でかまわない。
図４から図９は、本発明の着脱機構部以外の基本構成を実線で現したものである。
【０００６】
以下、本発明の第二の実施の形態について図３を用いて説明する。
本実施の形態においては、腰ベルト（１）に二つのベルト通し（６）が設けられている。このベルト通し（６）に通して膝ベルト（２）が設けられている。
その他構成は、前記事例と同様である。
これを利用するときは、前記事例と同様であるが、本実施の形態においては膝ベルト（２）を取り外すことができるので腰ベルト（１）単独としても利用することができる。
本実施の形態においては、腰ベルト（１）と膝ベルト（２）の連結方法としてベルト通し（６）を利用しているが、面ファスナー、スナップなど着脱可能に連結できるものであれば、これに限定されない。
【０００７】
以下、本発明の第三の実施の形態について図１０を用いて説明する。
図１０の製作例は、エプロンの左右の紐（９）を通常より長く製作し腰背部にフック（１０）を，両端に面ファスナー（３ｃ、３ｄ）を設けたものである。これを使用するときはエプロンをつけて腰背部をフック（１０）で固定した状態で椅子やベンチ等に着座し，腰を伸ばし膝をほぼ直角に曲げた状態で左右の紐（９）を前記膝ベルト（２）の場合と同様に左右側面からまわして膝下にいくように面ファスナー（３ｃ、３ｄ）で固定する。この紐（９）は必ずしもエプロンの前垂れ（１１）と同素材である必要はない。また，図１０では腰背部にはフック（１０）が、紐（９）先端部には面ファスナー（３ｃ、３ｄ）が用いられているがこれも着脱可能に連結できるものであればこれに限定されない。またここではエプロンの紐（９）が前記膝ベルト（２）と同じ役割を果たしているが，膝ベルト（２）の役割をするものが椅子やベンチに座った際に腰背部から膝下を支えることができるような構造になっていれば取り付け方はこれに限定されないし，また着脱可能でもかまわない。図１０ではエプロンを例にとって説明したが本発明はエプロンに限定されず，その他ズボンやスカート，シャツ，ベストなど腰背部を有する衣類の腰背部に前記膝ベルト（２）にあたるものを装着した衣服すべてが含まれる。
【０００８】
次に，本発明の第四の実施の形態について説明する。図１１は，本発明の腰背部にかばん（１３）が，腰ベルト（１）の左右の体側部にはそれぞれポケット（１４）が設けられている製作例であり、図１２はその説明図である。左右のポケット（１４）には起立時，歩行時など膝ベルト（２）を使用しないときやその使用が適当でないときなどに膝ベルト（２）を収納することができるようになっている他，手回り品を収納することもできる。腰背部に取り付けられたかばん（１３）には手回り品を収納することができ，普通のウエストバッグとしても使用することができる。かばん（１３）の大きさが適当であれば，手回り品を収納したまま椅子やベンチに座っても背もたれに当たって着座に支障をきたしたり快適さを損なうことはない。
【発明の効果】
胴体下腰部に巻きつけ固定する腰ベルト（１）と、腰ベルト（１）の背部をまわり左右側部を通して、椅子に着座した状態で膝下を固定するように設けられた膝ベルト（２）で構成されることにより、胴体下腰部と膝下の支点をお互いにベルトの緊張性により固定するため、姿勢の維持を疲れることなく容易に保つことが可能となった。
膝ベルトを腰背部材を有する衣服に装着することにより、日常はベルトとしてファッション性をかもしだすとともに、生活あるいは業務で椅子に着座した状態で膝下で固定することで、鞄などに入れることなく携帯できるとともに、どこでも簡単に利用することができる。
【図面の簡単な説明】
【図１】本発明の斜視図である。
【図２】本発明の使用状態を示す側面図である。
【図３】本発明の第二の実施例を示す斜視図である。
【図４】本発明の特徴部を表現した正面図である。
【図５】本発明の特徴部を表現した背面図である。
【図６】本発明の特徴部を表現した平面図である。
【図７】本発明の特徴部を表現した底面図である。
【図８】本発明の特徴部を表現した左側面図である。
【図９】本発明の特徴部を表現した右側面図である。
【図１０】本発明の第三の実施例として，エプロンの場合の製作例を示す斜視図である。
【図１１】本発明の第四の実施例として，かばんとポケットを取り付けた場合の製作例を示す斜視図である。
【図１２】本発明の第四の実施例の説明図である。
【符号の説明】
１  腰ベルト
２  膝ベルト
３；３ａ；３ｂ；３ｃ；３ｄ  面ファスナー
４  バックル
５  縫着部
６  ベルト通し
７  人体
８  椅子
９  紐
１０  前垂れ
１１  長さ調整具
１３  かばん
１４  ポケット
【図１】
2005013670.tif 000003
【図２】
2005013670.tif 000004
【図３】
2005013670.tif 000005
【図４】
2005013670.tif 000006
【図５】
2005013670.tif 000007
【図６】
2005013670.tif 000008
【図７】
2005013670.tif 000009
【図８】
2005013670.tif 000010
【図９】
2005013670.tif 000011
【図１０】
2005013670.tif 000012
【図１１】
2005013670.tif 000013
【図１２】
2005013670.tif 000014